(57)【要約】      （修正有）【課題】簡単な構造で温度センサを保持し温度誤検知を防止して、より品質の良い空気調和機を提供すること。【解決手段】一面に開口面３を設け少なくとも他の二面に複数の連通孔を設けて形成される箱部５と、箱部開口面の一端に他の部品と連結する本体固定部４を形成し、同一面上の他の一端には温度センサ固定溝６を有する温度センサ固定面８と前記箱部開口面および温度センサ固定面を連結する薄肉部９とを設け、さらに箱部開口面の別の一端に保護チューブ保持溝１５と本体固定部の一部１６を設けて形成される保護チューブ保持面および前記箱部開口面および保護チューブ保持面１７を連結する薄肉部１８とを設けて形成されている。さらに、保護チューブ保持面には温度センサ固定装置１の完成状態において温度センサ固定面を保持する保持突起１９が形成されている。また温度センサ１０の電線には保護チューブが設置されている。【選択図】図１
2008180406.tif 000002
【特許請求の範囲】
【請求項１】
一面に開口面を設け少なくとも他の二面に複数の連通孔を設けて形成される箱部と、前記箱部開口面の一端に他の部品と連結する本体固定部を形成し、同一面上の他の一端に温度センサ固定溝を有する温度センサ固定面と前記箱部開口面および温度センサ固定面を連結する薄肉部とを設け、さらに前記箱部開口面の別の一端に保護チューブ保持溝と本体固定部の一部を設けて形成される保護チューブ保持面および前記箱部開口面および保護チューブ保持面を連結する薄肉部とを設けて、前記箱部開口面に対し前記温度センサ固定面を１８０°折り返すことで温度センサの感熱部が箱部に収納され、さらに前記箱部開口面に対し保護チューブ保持面を１８０°折り返すことで前記温度センサ固定面を折り返した状態に保持しまた保護チューブが保持されるとともに本体固定部が形成される温度センサ固定装置。
【請求項２】
折り返しされた温度センサ固定面と箱部開口面とを密着保持する固定爪と固定穴を設けた請求項１に記載の温度センサ固定装置。
【請求項３】
折り返しされた保護チューブ保持面と箱部開口面とを密着保持する固定爪と固定穴を設けた請求項１または２に記載の温度センサ固定装置。
【請求項４】
保護チューブ保持面に本体固定部の一部を設けずに構成した請求項３に記載の温度センサ固定装置。
【請求項５】
箱部開口面に保護チューブ押さえ板を設けた請求項１〜４のいずれか１項に記載の温度センサ固定装置。
【請求項６】
温度センサ固定面に保護チューブ押さえ板を設けた請求項１〜４のいずれか１項に記載の温度センサ固定装置。
【請求項７】
温度センサ固定溝に保護チューブを挿入保持して構成した請求項１〜６のいずれか１項に記載の温度センサ固定装置。
【請求項８】
温度センサ固定面の温度センサ感熱部側の温度センサ固定溝周辺に保護チューブ保持壁を設けた請求項７に記載の温度センサ固定装置。
【請求項９】
請求項１〜８のいずれか１項に記載の温度センサ固定装置を備えた空気調和機。
【発明の詳細な説明】
【技術分野】
【０００１】
本発明は、空気調和機、より具体的には、空気調和機に用いる温度センサ固定装置に関するものである。
【背景技術】
【０００２】
従来、この種の固定装置には、温度センサの感熱部を収納するための箱部と温度センサの感熱部を固定する温度センサ固定面を樹脂材料にて一体に形成し、箱部に対して温度センサ固定面を折り返すことで温度センサの感熱部を箱部に収納して構成されているものがあった（例えば、特許文献１参照）。
【０００３】
図１８および図１９は、特許文献１に記載された従来の空気調和機の温度センサ固定装置の斜視図である。図１８および図１９に示すように、温度センサ固定装置１は連通孔２と開口面３と本体固定部４を有する箱部５および温度センサ固定溝６と本体固定部の一部７を有する温度センサ固定面８および箱部５と温度センサ固定面８を連結する薄肉部９を一体に形成して構成されており、温度センサ１０の感熱部１１近傍の電線１２を温度センサ固定溝６に挿入した後、箱部５に対して温度センサ固定面８を薄肉部９で折り返し、熱交換器１３の冷媒配管１４の間に差し込んで使用される。
【特許文献１】特開平１１−１５９８４０号公報
【発明の開示】
【発明が解決しようとする課題】
【０００４】
しかしながら、従来の構成では、温度センサ１０の電線１２が熱交換器１３のフィンおよび端板などの端面に接触して傷つくことがあり、電線１２に保護チューブを設置する事が多かったが、保護チューブを温度センサ固定溝６の手前まで設置した場合には電線１２が露出する部分が残って確実に保護することができず、また保護チューブを温度センサ固定溝６に挿入して設置した場合には温度センサ１０の感熱部１１を最適位置に保持することが難しく箱部５に接触して空気温度を正確に検知できないことがあるという課題を有していた。
【０００５】
本発明は、従来の課題を解決するもので、簡単な構造で温度センサを保護して温度誤検知を防止できる空気調和機の温度センサ固定装置を提供することを目的とする。
【課題を解決するための手段】
【０００６】
従来の課題を解決するために、本発明の空気調和機の温度センサ固定装置は、従来の温度センサ固定装置に加えて保護チューブ保持部を設け温度センサ保持溝に保護チューブを挿入設置して構成されるものである。
【０００７】
これによって、空気調和機の温度センサ固定装置は簡単な構造で温度センサを保護し感熱部を最適位置に保持して温度誤検知を防止することができる。
【発明の効果】
【０００８】
本発明の空気調和機の温度センサ固定装置は、簡単な構造で温度センサを保護し温度誤検知を防止することができ、より品質のよい空気調和機をユーザーに安価に提供することができる。
【発明を実施するための最良の形態】
【０００９】
第１の発明は、温度センサ固定装置を一面に開口面を設け少なくとも他の二面に複数の
連通孔を設けて形成される箱部と、前記箱部開口面の一端に他の部品と連結する本体固定部を形成し、同一面上の他の一端に温度センサ固定溝を有する温度センサ固定面と前記箱部開口面および温度センサ固定面を連結する薄肉部とを設け、さらに前記箱部開口面の別の一端に保護チューブ保持溝と本体固定部の一部を設けて形成される保護チューブ保持面および前記箱部開口面および保護チューブ保持面を連結する薄肉部とを設けて、前記箱部開口面に対し前記温度センサ固定面を１８０°折り返すことで温度センサの感熱部が箱部に収納され、さらに前記箱部開口面に対し保護チューブ保持面を１８０°折り返すことで前記温度センサ固定面を折り返した状態に保持しまた保護チューブが保持されるとともに本体固定部が形成される構成とし、温度センサの電線に設置した保護チューブを保護チューブ保持溝に挿入設置するものである。
【００１０】
これにより、空気温度を感知する機能を損なわずに簡単な構造で温度センサ固定装置が他の部品に取り付けられている限り完成状態を維持することができ温度センサを保護し感熱部を最適位置に保持して温度誤検知を防止し、信頼性の高い空気調和機を提供することができる。
【００１１】
第２の発明は、特に、第１の発明において折り返しされた温度センサ固定面と箱部の開口面とを密着保持する固定爪と固定穴を設けて構成するものである。これにより、保護チューブ保持面を１８０°折り返す前の状態でも温度センサ固定面を完成状態に維持することができ、組立作業時の保護をより確実にしさらに組立作業を容易にすることができる。
【００１２】
第３の発明は、特に、第１または第２の発明において折り返しされた保護チューブ保持面と箱部の開口面とを密着保持する固定爪と固定穴を設けて構成するものである。
【００１３】
これにより、温度センサ固定装置を熱交換器に差し込まない状態でも完成状態を維持することができ、組立作業時の保護をより確実にしさらに組立作業を容易にすることができる。
【００１４】
第４の発明は、特に、第３の発明において、保護チューブ保持面に本体固定部の一部を設けない構成とすることにより、材料を削減しより安価に温度センサの感熱部を最適位置に保持し、温度誤検知を防止することができる。
【００１５】
第５の発明は、特に、第１〜４のいずれか１つの発明において、箱部開口面に保護チューブ押さえ板を設けた構成とすることにより、さらに温度センサの保護を確実にすることができる。
【００１６】
第６の発明は、特に、第１〜４のいずれか１つの発明において、温度センサ固定面に保護チューブ押さえ板を設けた構成とすることにより、さらに温度センサの保護を確実にすることができる。
【００１７】
第７の発明は、特に、第１〜６のいずれか１つの発明において、温度センサ固定溝に保護チューブを挿入保持した構成とすることにより、さらに温度センサの保護を確実にすることができる。
【００１８】
第８の発明は、特に、第７の発明において、温度センサ固定面の温度センサ感熱部側の温度センサ固定溝周辺に保護チューブ保持壁を設けた構成とすることにより、さらに温度センサの感熱部を最適位置に保持し温度誤検知を防止することができる。
【００１９】
第９の発明は、空気調和機に、第１〜８のいずれか１つの発明に係る温度センサ固定装置を設けることにより、温度センサの温度誤検知を防止することができ、信頼性の高い空
気調和機を提供することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における空気調和機の温度センサ固定装置の斜視図、図２は、本発明の第１の実施の形態における空気調和機の温度センサ固定装置の中間組み立て状態を示す斜視図、図３は、本発明の第１の実施の形態における空気調和機の温度センサ固定装置の完成状態を示す斜視図である。図１〜図３において、従来の技術の図１８および図１９と同じ構成要素については同じ符号を用い、説明を省略する。
【００２２】
図１〜図３において、温度センサ固定装置１は一面に開口面３を設け少なくとも他の二面に複数の連通孔２を設けて形成される箱部５と、前記箱部開口面３の一端に他の部品と連結する本体固定部４を形成し、同一面上の他の一端には温度センサ固定溝６を有する温度センサ固定面８と前記箱部開口面３および温度センサ固定面８を連結する薄肉部９とを設け、さらに前記箱部開口面３の別の一端に保護チューブ保持溝１５と本体固定部の一部１６を設けて形成される保護チューブ保持面１７および前記箱部開口面３および保護チューブ保持面１７を連結する薄肉部１８とを設けて形成されている。
【００２３】
さらに、前記保護チューブ保持面１７には温度センサ固定装置の完成状態において前記温度センサ固定面８を保持する保持突起１９が形成されている。また、温度センサ１０の電線１２には保護チューブ２０が設置されている。
【００２４】
以上のように構成された空気調和機の温度センサ固定装置について、以下その動作、作用を説明する。
【００２５】
まず、温度センサ１０は感熱部１１近傍の電線１２を温度センサ固定溝６に挿入設置され、箱部開口面３に対し温度センサ固定面８を１８０°折り返すことで温度センサ１０の感熱部１１が箱部５に収納される。次に、箱部開口面３に対し保護チューブ保持面１７を１８０°折り返しつつ、保護チューブ２０の感熱部１１側の端面を温度センサ固定溝６の近傍に位置するように電線１２の保護チューブ２０を設置された部分を保護チューブ保持溝１５に挿入設置することにより、温度センサ１０は温度センサ固定装置１の近傍において電線１２を保護チューブ２０により確実に保護される状態で装着される。
【００２６】
このとき、温度センサ固定面８の一部は保護チューブ保持面１７の保持突起１９により箱部開口面３に押しつけた状態で保持される。さらに、本体固定部４および１６を熱交換器１３の冷媒配管１４の間に差し込むことにより、温度センサ固定装置１は空気調和機に配設される。熱交換器１３近傍にはフィン２１など温度センサ１０の電線１２が接触することで傷つく部品が多数あるけれど、保護チューブ２０から露出する部分がないため確実に保護することができる。また温度センサ１０の電線１２は二カ所の溝で保持されるため、電線１２に外力を加えられた場合にも温度センサ１０の感熱部１１を最適位置に保持することができる。
【００２７】
本実施の形態において、箱部５に形成される連通孔２は少なくとも一辺を３ｍｍ以下とした矩形状の孔とし温度センサ１０の感熱部１１が連通孔２を貫通しない構成を採っているが、感熱部１１よりも小なる形状であれば連通孔２は円形等をなして構成してもよい。
【００２８】
以上のように、本実施の形態においては、温度センサ固定装置を一面に開口面を設け少なくとも他の二面に複数の連通孔を設けて形成される箱部と、前記箱部開口面の一端に他
の部品と連結する本体固定部を形成し、同一面上の他の一端に温度センサ固定溝を有する温度センサ固定面と前記箱部開口面および温度センサ固定面を連結する薄肉部とを設け、さらに前記箱部開口面の別の一端に保護チューブ保持溝と本体固定部の一部を設けて形成される保護チューブ保持面および前記箱部開口面および保護チューブ保持面を連結する薄肉部とを設けて、前記箱部開口面に対し前記温度センサ固定面を１８０°折り返すことで温度センサの感熱部が箱部に収納され、さらに前記箱部開口面に対し保護チューブ保持面を１８０°折り返すことで前記温度センサ固定面を折り返した状態に保持しまた保護チューブが保持されるとともに本体固定部が形成される構成とし、温度センサの電線に設置した保護チューブを保護チューブ保持溝に挿入設置することにより、空気温度を感知する機能を損なわずに簡単な構造で温度センサ固定装置が他の部品に取り付けられている限り完成状態を維持することができ温度センサを保護し感熱部を最適位置に保持して温度誤検知を防止し、信頼性の高い空気調和機を提供することができる。
【００２９】
（実施の形態２）
図４は、本発明の第２の実施の形態における空気調和機の温度センサ固定装置の斜視図、図５は、本発明の第２の実施の形態における空気調和機の温度センサ固定装置の中間組み立て状態を示す斜視図、図６は本発明の第２の実施の形態における空気調和機の温度センサ固定装置の完成状態を示す斜視図である。図４〜図６において、図１、図２および図３と同じ構成要素については同じ符号を用い、説明を省略する。
【００３０】
図４〜図６において、温度センサ固定装置１には折り返しされた温度センサ固定面８と箱部開口面３とを密着保持する固定爪２２と固定穴２３が設けられている。
【００３１】
以上のように構成された空気調和機の温度センサ固定装置においては、温度センサ固定装置１を組み立てる作業の最初に温度センサ１０の感熱部１１を完成状態の位置に保持することができ、組立作業を容易でより確実にすることができる。
【００３２】
なお、本実施の形態においては、保持突起１９は設けなくてもよい。
【００３３】
以上のように、本実施の形態においては、温度センサ固定装置を折り返しされた温度センサ固定面と箱部開口面とを密着保持する固定爪と固定穴を設けた構成とすることにより、温度センサ固定装置を熱交換器に差し込まない状態でも完成状態を維持することができ組立作業時の保護をより確実にしさらに組立作業を容易にすることができる。
【００３４】
（実施の形態３）
図７は、本発明の第３の実施の形態における空気調和機の温度センサ固定装置の斜視図、図８は、本発明の第３の実施の形態における空気調和機の温度センサ固定装置の中間組み立て状態を示す斜視図、図９は、本発明の第３の実施の形態における空気調和機の温度センサ固定装置の完成状態を示す斜視図である。図７〜図９において、図１〜図６と同じ構成要素については同じ符号を用い、説明を省略する。
【００３５】
図７〜図９において、温度センサ固定装置１には折り返しされた保護チューブ保持面１７と箱部開口面３とを密着保持する固定爪２４と固定穴２５が設けられている。
【００３６】
以上のように構成された空気調和機の温度センサ固定装置においては、温度センサ固定装置１を熱交換器１３に設置しない状態でも完成状態を維持することができ組立作業時の保護をより確実にしさらに組立作業を容易にすることができる。
【００３７】
以上のように、本実施の形態においては、温度センサ固定装置を折り返しされた保護チューブ保持面と箱部開口面とを密着保持する固定爪と固定穴を設けた構成とすることによ
り、温度センサ固定装置を熱交換器に差し込まない状態でも完成状態を維持することができ組立作業時の保護をより確実にしさらに組立作業を容易にすることができる。
【００３８】
（実施の形態４）
図１０は、本発明の第４の実施の形態における空気調和機の温度センサ固定装置の斜視図、図１１は、本発明の第４の実施の形態における空気調和機の温度センサ固定装置の完成状態を示す斜視図である。図１０および図１１において、図１〜図９と同じ構成要素については同じ符号を用い、説明を省略する。
【００３９】
図１０、図１１において、温度センサ固定装置１には保護チューブ保持面１７に本体固定部の一部１６を設けない構成とする。
【００４０】
以上のように構成された空気調和機の温度センサ固定装置においては、材料を削減しより安価に温度センサの感熱部を最適位置に保持し温度誤検知を防止することができる。
【００４１】
以上のように、本実施の形態においては、温度センサ固定装置を保護チューブ保持面に本体固定部の一部を設けない構成とすることにより材料を削減しより安価に温度センサの感熱部を最適位置に保持し温度誤検知を防止することができ、信頼性の高い空気調和機を提供することができる。
【００４２】
（実施の形態５）
図１２は、本発明の第５の実施の形態における空気調和機の温度センサ固定装置の斜視図、図１３は、本発明の第５の実施の形態における空気調和機の温度センサ固定装置の完成状態を示す斜視図である。図１２および図１３において、図１〜図１１と同じ構成要素については同じ符号を用い、説明を省略する。
【００４３】
図１２、図１３において、温度センサ固定装置１の箱部開口面３には、前記温度センサ固定装置１の完成状態において保護チューブ保持溝１５の入り口近傍に位置するように保護チューブ押さえ板２６を設けた構成とする。
【００４４】
以上のように構成された空気調和機の温度センサ固定装置１においては、保護チューブ保持溝１５の入り口近傍に保護チューブ押さえ板２６が設置されるため、保護チューブ保持溝１５に挿入設置された保護チューブ２０が脱落することを防止することができる。
【００４５】
以上のように、本実施の形態においては、温度センサ固定装置の箱部開口面に保護チューブ押さえ板を設けた構成とすることにより保護チューブ保持溝から保護チューブが脱落することを防止することができ、信頼性の高い空気調和機を提供することができる。
【００４６】
（実施の形態６）
図１４は、本発明の第６の実施の形態における空気調和機の温度センサ固定装置の斜視図、図１５は、本発明の第６の実施の形態における空気調和機の温度センサ固定装置の完成状態を示す斜視図である。図１４および図１５において、図１〜図１３と同じ構成要素については同じ符号を用い、説明を省略する。
【００４７】
図１４、図１５において、温度センサ固定装置１の温度センサ固定面８には、前記温度センサ固定装置１の完成状態において保護チューブ保持溝１５の入り口近傍に位置するように保護チューブ押さえ板２７を設けた構成とする。
【００４８】
以上のように構成された空気調和機の温度センサ固定装置１においては、保護チューブ保持溝１５の入り口近傍に保護チューブ押さえ板２７が設置されるため、保護チューブ保
持溝１５に挿入設置された保護チューブ２０が脱落することを防止することができる。
【００４９】
以上のように、本実施の形態においては、温度センサ固定装置の温度センサ固定面に保護チューブ押さえ板を設けた構成とすることにより保護チューブ保持溝から保護チューブが脱落することを防止することができ、信頼性の高い空気調和機を提供することができる。
【００５０】
（実施の形態７）
図１６は、本発明の第７の実施の形態における空気調和機の温度センサ固定装置の斜視図である。図１６において、図１〜図１５と同じ構成要素については同じ符号を用い、説明を省略する。
【００５１】
図１６において、温度センサ固定装置１の温度センサ固定溝６には、温度センサ１０の電線１２に取り付けられた保護チューブ２０が挿入保持された構成とする。
【００５２】
以上のように構成された空気調和機の温度センサ固定装置１においては、温度センサ固定溝６により保護チューブ２０が保持されるため、温度センサ１０の電線１２は箱部５と温度センサ固定面８により囲まれた空間の外部において保護チューブ２０より露出することがなく、傷つき等を防止することができる。
【００５３】
以上のように、本実施の形態においては、温度センサ固定装置の温度センサ固定溝に保護チューブを挿入保持した構成とすることにより温度センサの電線が傷つくことをより確実に防止することができ、信頼性の高い空気調和機を提供することができる。
【００５４】
（実施の形態８）
図１７は、本発明の第８の実施の形態における空気調和機の温度センサ固定装置の斜視図である。図１７において、図１〜図１６と同じ構成要素については同じ符号を用い、説明を省略する。
【００５５】
図１７において、温度センサ固定装置１の温度センサ固定面８には、前記温度センサ固定面８の温度センサ１０の感熱部１１側の温度センサ固定溝６周辺に保護チューブ保持壁２８を設けた構成とする。
【００５６】
以上のように構成された空気調和機の温度センサ固定装置１においては、温度センサ固定溝６周辺に保護チューブ保持壁２８が設置されるため、温度センサ１０の感熱部１１が箱部５と温度センサ固定面８により囲まれた空間の内部で偏ることを防止し、さらに保護チューブ保持壁２８の高さに保護チューブ２０の端面を合わせて取り付けることにより作業性を良くし、感熱部１１の位置のバラツキを減らして最適位置に保持することができる。
【００５７】
以上のように、本実施の形態においては、温度センサ固定装置の温度センサ固定面の温度センサ感熱部側の温度センサ固定溝周辺に保護チューブ保持壁を設けた構成とすることにより容易に温度センサの感熱部を最適位置に保持することができ、温度誤検知を防止し信頼性の高い空気調和機を提供することができる。
【産業上の利用可能性】
【００５８】
以上のように、本発明にかかる空気調和機の温度センサ固定装置は、簡単な構造で温度センサを保護し温度誤検知を防止することが可能となるので、温度を検知して運転制御を行う送風機等の用途にも適用できる。
【図面の簡単な説明】
【００５９】
【図１】本発明の実施の形態１における空気調和機の温度センサ固定装置の斜視図
【図２】本発明の実施の形態１における空気調和機の温度センサ固定装置の中間組み立て状態を示す斜視図
【図３】本発明の実施の形態１における空気調和機の温度センサ固定装置の完成状態を示す斜視図
【図４】本発明の実施の形態２における空気調和機の温度センサ固定装置の斜視図
【図５】本発明の実施の形態２における空気調和機の温度センサ固定装置の中間組み立て状態を示す斜視図
【図６】本発明の実施の形態２における空気調和機の温度センサ固定装置の完成状態を示す斜視図
【図７】本発明の実施の形態３における空気調和機の温度センサ固定装置の斜視図
【図８】本発明の実施の形態３における空気調和機の温度センサ固定装置の中間組み立て状態を示す斜視図
【図９】本発明の実施の形態３における空気調和機の温度センサ固定装置の完成状態を示す斜視図
【図１０】本発明の実施の形態４における空気調和機の温度センサ固定装置の斜視図
【図１１】本発明の実施の形態４における空気調和機の温度センサ固定装置の完成状態を示す斜視図
【図１２】本発明の実施の形態５における空気調和機の温度センサ固定装置の斜視図
【図１３】本発明の実施の形態５における空気調和機の温度センサ固定装置の完成状態を示す斜視図
【図１４】本発明の実施の形態６における空気調和機の温度センサ固定装置の斜視図
【図１５】本発明の実施の形態６における空気調和機の温度センサ固定装置の完成状態を示す斜視図
【図１６】本発明の実施の形態７における空気調和機の温度センサ固定装置の斜視図
【図１７】本発明の実施の形態８における空気調和機の温度センサ固定装置の斜視図
【図１８】従来の空気調和機における温度センサ固定装置の斜視図
【図１９】従来の空気調和機における温度センサ固定装置の完成状態を示す斜視図
【符号の説明】
【００６０】
１  温度センサ固定装置
３  開口面
４  本体固定部
５  箱部
６  温度センサ固定溝
７  本体固定部の一部
８  温度センサ固定面
９  薄肉部
１０  温度センサ
１１  感熱部
１２  電線
１３  熱交換器
１４  冷媒配管
１５  保護チューブ保持溝
１６  本体固定部の一部
１７  保護チューブ保持面
１８  薄肉部
１９  保持突起
２０  保護チューブ
２２  固定爪
２３  固定穴
２４  固定爪
２５  固定穴
２６  保護チューブ押さえ板
２７  保護チューブ押さえ板
２８  保護チューブ保持壁
【図１】
2008180406.tif 000003
【図２】
2008180406.tif 000004
【図３】
2008180406.tif 000005
【図４】
2008180406.tif 000006
【図５】
2008180406.tif 000007
【図６】
2008180406.tif 000008
【図７】
2008180406.tif 000009
【図８】
2008180406.tif 000010
【図９】
2008180406.tif 000011
【図１０】
2008180406.tif 000012
【図１１】
2008180406.tif 000013
【図１２】
2008180406.tif 000014
【図１３】
2008180406.tif 000015
【図１４】
2008180406.tif 000016
【図１５】
2008180406.tif 000017
【図１６】
2008180406.tif 000018
【図１７】
2008180406.tif 000019
【図１８】
2008180406.tif 000020
【図１９】
2008180406.tif 000021